(57)【要約】【課題】部品点数を増加させることなく構成部品のガタツキおよび騒音の発生を抑制するとともに、円滑な動作を確保することが可能な光ディスク装置を提供する。【解決手段】光ディスク装置は、メインフレームと、媒体駆動部と、媒体駆動部を昇降自在に支持した昇降保持部材２４と、を有している。昇降保持部材は、一対のアーム部２４ａと、アーム部の一端部間を延びているとともに前壁と対向した連結部２４ｃと、アームの他端部に設けられ側壁に支持された支点部と、を有している。メインフレームの前壁部１１ｄおよび昇降保持部材の連結部のいずれか一方は、他方に向かって突出したガイドボス２７と、このガイドボスと並んで設けられ連結部の延出方向に沿って弾性変形可能に形成された押圧突起３０と、を一体に有している。前壁部および連結部の他方は、昇降方向に沿って延びガイドボスと係合するガイド溝と、押圧突起を撓ませて弾性力を発生させるガイド面を有しガイド溝と並んで設けられたガイドリブ１７と、を有している。【選択図】    図４
2009087391.tif 000002
【特許請求の範囲】
【請求項１】
対向した一対の側壁と、前記側壁間を延びた前壁とを有するメインフレームと、
ディスク状の記録媒体を支持および回転するモータと、記録媒体に対して情報処理を行うヘッド部とを有し、前記記録媒体を駆動する駆動位置と、前記記録媒体の装填および取出しを許容する退避位置と、の間を昇降可能に設けられた媒体駆動部と、
前記媒体駆動部を支持しているとともに、前記駆動位置に対応する上昇位置と前記退避位置に対応する下降位置との間を昇降可能に前記メインフレームに支持された昇降保持部材と、を備え、
前記昇降保持部材は、それぞれ前記側壁と対向して延びた一対のアーム部と、アーム部の一端部間を延びているとともに前記前壁と対向した連結部と、前記アームの他端部に設けられ前記側壁に支持された支点部と、を有し、
前記メインフレームの前壁部および前記昇降保持部材の連結部のいずれか一方は、他方に向かって突出したガイドボスと、このガイドボスと並んで設けられ前記連結部の延出方向に沿って弾性変形可能に形成された押圧突起と、を一体に有し、
前記前壁部および前記連結部の他方は、前記昇降方向に沿って延び前記ガイドボスと係合するガイド溝と、前記押圧突起を撓ませて弾性力を発生させるガイド面を有し前記ガイド溝と並んで設けられたガイドリブと、を有している光ディスク装置。
【請求項２】
前記ガイドボスおよび押圧突起は、前記連結部の延出方向に隙間を置いて並んで設けられている請求項１に記載の光ディスク装置。
【請求項３】
前記ガイドボスおよび押圧突起は、前記昇降保持部材の連結部に形成され、前記ガイド溝およびガイドリブは前記前壁に形成されている請求項１に記載の光ディスク装置。
【請求項４】
前記ガイドボスおよび押圧突起は、前記前壁に形成され、前記ガイド溝およびガイドリブは前記昇降保持部材の連結部に形成されている請求項１に記載の光ディスク装置。
【請求項５】
前記ガイド溝は、前記昇降保持部材の下降位置から上昇位置に向かって徐々に幅が狭く形成され、前記ガイドボスは、前記昇降保持部材が前記下降位置と前記上昇位置直前との間を移動する間、前記ガイド溝内を隙間を持って移動し、前記昇降保持部材が前記上昇位置に移動した際に前記ガイド溝を規定している壁面と隙間を有する大きさに形成されている請求項１ないし４のいずれか１項に記載の光ディスク装置。
【請求項６】
前記押圧突起は当接部を有し、前記ガイドリブのガイド面は、前記昇降保持部材が前記上昇位置に移動した際に前記押圧突起の当接部に当接して押圧突起を撓ませる弾性当接部を有している請求項１ないし４のいずれか１項に記載の光ディスク装置。
【請求項７】
ディスク状の記録媒体を保持し、前記メインフレームの外部に突出する装填取出し位置と、前記メインフレーム内の所定位置で前記記録媒体を駆動可能な動作位置との間を移動可能に前記メインフレームに設けられた記録媒体保持体と、
前記記録媒体保持体が移動する間、前記昇降保持部材を退避位置に移動させ、前記記録媒体保持体が動作位置に移動した際、前記昇降保持部材および媒体駆動部を駆動位置に移動させる移動機構と、を備えている請求項１に記載の光ディスク装置。
【請求項８】
前記移動機構は、前記昇降保持部材と係合しているとともに前記前壁部に前記側壁と交差する方向に沿って移動可能に設けられ、移動することにより前記昇降保持部材を昇降させる摺動部材と、摺動部材を移動させる駆動源と、を有している請求項７に記載の光ディスク装置。
【発明の詳細な説明】
【技術分野】
【０００１】
この発明は、ディスク状の記録媒体に対して情報処理を行う光ディスク装置に関する。
【背景技術】
【０００２】
近年、ディスク状の記録媒体として、ＤＶＤ−ＲＯＭに代表される再生専用タイプ、ＤＶＤ−Ｒに代表される１回記録タイプ、ならびにコンピュータの外付けメモリや録再ビデオに利用可能なＤＶＤ−ＲＡＭおよびＤＶＤ−ＲＷに代表される書き換え可能タイプ等の光ディスクが広く普及している。
【０００３】
光ディスクに情報を記録し、または光ディスクから情報を再生する光ディスク装置は、ディスク挿入口を有した筐体と、光ディスクを支持し、筐体に対して光ディスクを装填および排出するディスクトレイと、を備えている。ディスクトレイは、ディスクを装填および取出し可能な引出し位置と、筐体内に引き込まれディスクを駆動可能な駆動位置との間を移動可能に設けられている。
【０００４】
筐体内には、装填された光ディスクを支持および回転させるモータ、および光ディスクに対して情報を読み出し、書き込みを行う光ピックアップ等が配設されている。モータおよびピックアップは、ピックアップシャーシ上に設けられ、このピックアップシャーシは、筐体内に回動自在に設けられたシャーシマウント上に載置されている。
【０００５】
ディスクトレイが移動する間、ピックアップシャーシはシャーシマウントともに下降位置に退避され、光ディスクが所定の駆動位置に引き込まれると、ピックアップシャーシおよびシャーシマウントが上方に回動される。これにより、モータが上昇してディスクをクランプするとともに、光ピックアップが光ディスクの記録面と対向する。
【０００６】
光ディスク装置においては、光ディスクの偏芯や偏重心等に起因して、光ディスクが高速に回転することによって振動が発生する。そのため、機構系にガタツキがあると、ピックアップシャーシ、シャーシマウント等が振動し、光ディスクの記録再生に悪影響を与える。また、構成部材同士が衝突を繰り返して異音が発生する虞がある。
【０００７】
そこで、筐体とシャーシマウントとの間に板ばねからなる付勢部材を設け、この板ばねによりシャーシマウントを一方向に付勢してガタツキを無くすことにより、振動を吸収しノイズの低減を図った装置が提供されている（例えば、特許文献１）。
【特許文献１】特開平１０−２１６８０号公報
【発明の開示】
【発明が解決しようとする課題】
【０００８】
しかしながら、前述した光ディスク装置のように、構成部材のガタツキを低減するために板ばねのような付勢部材を追加した場合、部品点数および組立て工程数が増大し、製造コストの上昇を招く。また、部品の増加により、それに対応した設置スペースが必要となり、小型化の妨げとなる。更に、ガタツキを物理的に詰めた場合、温度変化による部品の収縮・膨張によりガタツキが発生し、あるいは部品間で噛み合いが生じ過負荷になって動作に支障を来すことがある。
【０００９】
この発明は以上の点に鑑みなされたもので、その目的は、部品点数を増加させることなく構成部品のガタツキおよび騒音の発生を抑制することができるとともに、過負荷を抑制して円滑な動作を確保することが可能な光ディスク装置を提供することにある。
【課題を解決するための手段】
【００１０】
この発明の態様に係る光ディスク装置は、対向した一対の側壁と、前記側壁間を延びた前壁とを有するメインフレームと、ディスク状の記録媒体を支持および回転するモータと、記録媒体に対して情報処理を行うヘッド部とを有し、前記記録媒体を駆動する駆動位置と、前記記録媒体の装填および取出しを許容する退避位置と、の間を昇降可能に設けられた媒体駆動部と、前記媒体駆動部を支持しているとともに、前記駆動位置に対応する上昇位置と前記退避位置に対応する下降位置との間を昇降可能に前記メインフレームに支持された昇降保持部材と、を備え、  
前記昇降保持部材は、それぞれ前記側壁と対向して延びた一対のアーム部と、アーム部の一端部間を延びているとともに前記前壁と対向した連結部と、前記アームの他端部に設けられ前記側壁に支持された支点部と、を有し、前記メインフレームの前壁部および前記昇降保持部材の連結部のいずれか一方は、他方に向かって突出したガイドボスと、このガイドボスと並んで設けられ前記連結部の延出方向に沿って弾性変形可能に形成された押圧突起と、を一体に有し、前記前壁部および前記連結部の他方は、前記昇降方向に沿って延び前記ガイドボスと係合するガイド溝と、前記押圧突起を撓ませて弾性力を発生させるガイド面を有し前記ガイド溝と並んで設けられたガイドリブと、を有している。
【発明の効果】
【００１１】
この発明の態様によれば、部品点数を増加させることなく構成部品のガタツキおよび騒音の発生を抑制することができるとともに、過負荷を抑制して円滑な動作を確保することが可能な光ディスク装置を提供することができる。
【発明を実施するための最良の形態】
【００１２】
以下、図面を参照しながら、この発明の実施形態に係る光ディスク装置について詳細に説明する。  
図１は、本実施形態に係る光ディスク装置のトップカバーを取り外して光ディスク装置の外観構造を示し、図２は、後述するディスクトレイを省略して光ディスク装置の内部構造を示している。図３および図５は、光ディスク装置のメインフレームを示している。
【００１３】
図１および図２に示すように、光ディスク装置は、筐体を構成する上面が開口した矩形箱状のメインフレーム１１を備えている。メインフレーム１１内には、記録媒体としての光ディスク８を保持し搬送するディスクトレイ２０、光ディスクを支持および回転する昇降自在なディスク駆動部２２、およびディスクトレイおよびディスク駆動部を移動させる移動機構５０が設けられている。メインフレーム１１の底面には、制御部を構成する図示しない回路基板が実装されている。
【００１４】
図２、図３および図５に示すように、メインフレーム１１は、間隔をおいて互いに平行に対向した一対の側壁１１ａ、１１ｂ、これらの側壁間を延びた後壁１１ｃおよび前壁部１１ｄを一体に備え、ＡＢＳ等の合成樹脂により形成されている。一対の側壁１１ａ、１１ｂの各内面側には、後述するシャーシマウント２４の支点部を回動自在に支持する係合凹所１５ａ、１５ｂが形成されている。メインフレーム１１の後壁１１ｃの内側に位置した２つの角部には、ディスク駆動部２２を支持する一対の支持ポスト１２が設けられている。
【００１５】
前壁部１１ｄは、側壁１１ａ、１１ｂの前端部間を延び、後壁１１ｃとほぼ平行に対向している。前壁部１１ｄには、矩形状の開口からなるディスク挿入口１４が形成されている。また、前壁部１１は、移動機構５０を取り付ける取り付け部を構成している。すなわち、前壁部１１ｄには、ギア支点ボス１３ａ、プーリーギア支点ボス１３ｂ、モータ取り付け部１３ｃ、および後述するカムスライダを移動自在に支持するスライド溝１３ｄが形成されている。
【００１６】
図５、図６、図７に示すように、前壁部１１ｄの後壁１１ｃと対向する内面の一端部、例えば、側壁１１ａ側の端部には、第１および第２ガイドリブ１６、１７が突設されている。第１および第２ガイドリブ１６、１７は、それぞれ前壁部１１ｄの延出方向と直交する方向、ここでは、鉛直方向に延びているとともに、前壁部１１ｄの延出方向に互いに隙間を置いて並んでいる。第１ガイドリブ１６の側面１６ａと第２ガイドリブ１７の側面１７ａとは互いに対向し、これらの間にガイド溝１８を規定している。このガイド溝１８は、シャーシマウント２４の昇降方向に沿って延びているとともに、後述するシャーシマウントの下降位置から上昇位置に向かって、ここでは、下から上に向かって、徐々に幅が狭くなるように形成されている。
【００１７】
第２ガイドリブ１７の反対側の側面は、シャーシマウント２４の昇降方向に沿って延びたガイド面１７ｂを構成している。ガイド面１７ｂの上端部には、ガイド溝１８と反対方向に突出した突出部１７ｃが形成されている。
【００１８】
図８は、記録媒体保持体として機能するディスクトレイ２０の裏面側および移動機構５０とディスクトレイとの係合状態を示している。図９（ａ）は、ディスクトレイが動作位置に引き込まれた状態を示す光ディスク装置の断面図、図９（ｂ）は、ディスクトレイが装填取出し位置に移動した状態を示す光ディスク装置の断面図である。
【００１９】
図１および図８に示すように、ディスクトレイ２０はほぼ矩形板状に形成され、その一部には、光ディスク８に対するディスク駆動部２２のアクセスを許容する窓部２１が形成されている。ディスクトレイ２０は、側壁１１ａ、１１ｂ間に配置され、側壁と平行な方向に沿って、つまり、メインフレーム１１の長手方向（移動方向Ａ）に沿って移動可能に支持されている。ディスクトレイ２０の裏面には、ラック２３が形成されディスクトレイの長手方向のほぼ全長に渡って延びている。このラック２３は、後述する移動機構５０のトレイギア５６ａと歯合している。
【００２０】
ディスクトレイ２０は、メインフレーム１１内の所定位置に引き込まれた図９（ａ）および図１に実線で示す作動位置と、ディスク挿入口１４を通して筐体１０の外部に突出する図９（ｂ）および図１に２点鎖線で示す装填取出し位置との間を直線的に移動可能に支持され、移動機構５０により、これら作動位置と装填取出し位置との間を移動される。作動位置において、ディスクトレイ２０に保持された光ディスク８はディスク駆動部２２によって駆動可能であり、装填取出し位置において、ディスクトレイ２０に対して光ディスク８の装填および取出しが可能となる。
【００２１】
図１０は、光ディスク装置のディスク駆動部２２、移動機構５０、およびシャーシマウント２４を示す分解斜視図であり、図１１はシャーシマウントを示し、図１２および図１３は、シャーシマウントのガイドボスおよび押圧突起部分を拡大して示している。
【００２２】
図３、図１０および図１１に示すように、メインフレーム１１には、ディスク駆動部２２を昇降自在に支持するシャーシマウント２４が設けられている。シャーシマウント２４は、ほぼＵ字形状に形成され、メインフレーム１１に回動自在に取り付けられている。昇降保持部材として機能するシャーシマウント２４は、間隔をおいて互いに平行に対向した一対のアーム部２４ａ、２４ｂと、アーム部と直交してアーム部の一端部間を延びているとともにアーム部の先端同士を連結した連結部２４ｃとを有している。
【００２３】
アーム部２４ａ、２４ｂの後端部には、それぞれ回動支点部となる枢軸２３ａ、２３ｂが形成され、アーム部から外側に突出している。シャーシマウント２４の各角部の内側には、ディスク駆動部２２を支持する一対の支持ポスト２５が設けられている。シャーシマウント２４は、移動機構５０の後述するスライドカムと係合する一対の係合ピン２６を有している。これらの係合ピン２６は、連結部２４ｃの中央部から前方に突出しているとともに、連結部の延出方向に沿って互いに離間して位置している。
【００２４】
図１１ないし図１３に示すように、シャーシマウント２４は、連結部２４ｃに形成されたガイドボス２７および押圧突起３０を一体に有している。ガイドボス２７は、連結部２４ｃの一端部、例えば、アーム部２４ａ側の端部に設けられ、前方、すなわち、メインフレーム１１の前壁部１１ｄに向かって突出している。ガイドボス２７は、所定の幅を有したガイド部２７ａと、ガイド部よりも狭い幅に形成されガイド部を補強した補強部２７ｂとを一体に有して形成されている。これにより、ガイドボス２７は、落下衝撃荷重を受けても破損しない充分な強度を有している。
【００２５】
押圧突起３０は、ガイドボス２７に対して、連結部２４ｃの延出方向に隙間を置いて並んでいる。押圧突起３０は、連結部２４ｃから前壁部１１ｄに向かって延出した後、直角に折り曲げられ、下方に向かって延出している。押圧突起３０の延出端には、ガイドボス２７側に突出した当接部３１が形成されている。これにより、押圧突起３０は、連結部２４ｃの延出方向に沿って弾性変形可能に形成され、かつ、撓むことにより、上記方向の弾性力を発生する。
【００２６】
ガイドボス２７、押圧突起３０、および係合ピン２６を含むシャーシマウント２４は、例えば、メインフレーム１１よりも硬い樹脂により一体に成形されている。
【００２７】
図３に示すように、シャーシマウント２４は、メインフレーム１１の側壁１１ａ、１１ｂに設けられた係合凹所１５ａ、１５ｂに、枢軸２３ａ、２３ｂがそれぞれ回動自在に係合した状態で、メインフレームに取り付けられている。一対のアーム部２４ａ、２４ｂはそれぞれ側壁１１ａ、１１ｂと平行に延びている。連結部２４ｃは、枢軸２３ａ、２３ｂに対してディスク挿入口１４側に位置し、側壁１１ａ、１１ｂ間をこれら側壁と直交する方向に延びているとともにメインフレーム１１の前壁部１１ｄと隙間を置いて対向している。そして、シャーシマウント２４は枢軸２３ａ、２３ｂの回りで、上昇位置と下降位置との間を回動可能に支持され、連結部２４ｃは、シャーシマウント２４の上昇位置と下降位置との間の回動に伴い、昇降する。
【００２８】
図３および図４に示すように、連結部２４ｃに形成されたガイドボス２７は、前壁部１１ｄに形成されたガイド溝１８に係合し、押圧突起３０は前壁部１１ｄに形成された第２ガイド１７のガイド面１７ｂと対向して位置している。第２ガイドリブ１７は、ガイドボス２７と押圧突起３０との間に挟まれた状態で位置している。そして、連結部２４ｃの昇降に伴い、ガイドボス２７はガイド溝１８内を移動し、押圧突起３０はガイド面１７ｂに沿って移動する。
【００２９】
図２および図１０に示すように、ディスク駆動部２２は金属板で形成された矩形枠状のシャーシ２８を有している。シャーシ２８において長手方向の前端部には、駆動源としてのスピンドルモータ３２が取り付けられ、このスピンドルモータの回転軸には、光ディスク８を支持および所定の速度で回転するターンテーブル３３が固定されている。シャーシ２８には、互いに平行に延びた一対のガイドレール３４が取り付けられている。ガイドレール３４はメインフレーム１１の側壁１１ａ、１１ｂに対し僅かに傾斜して延びている。
【００３０】
ディスク駆動部２２は、光ディスク８に対して情報の書き込み、読み出しを行う光ピックアップ３６、および光ピックアップを移動させるピックアップ駆動機構３７を備えている。光ピックアップ３６は一対のガイドレール３４によりこれらのガイドレールに沿って往復移動可能に支持されている。ピックアップ駆動機構３７は、シャーシ２８上に取り付けられた送りモータ３８、および送りモータの回転軸に連結されたリードスクリュー３９を有している。リードスクリュー３９は、ガイドレール３４と平行に延びているとともに光ピックアップ３６と係合している。
【００３１】
ヘッド部として機能する光ピックアップ３６は、光ディスク８からの情報の読み出しおよび情報の書き込み時、ターンテーブル３３上に支持された光ディスク８の情報記録面と対向して位置し、ピックアップ駆動機構３７により、ガイドレール３４に沿って光ディスクの径方向に移動される。
【００３２】
シャーシ２８は、その長手方向一端側（後端側）の２つの角部が一対の第１ダンパ３０ａによりメインフレーム１１の後壁１１ｃの支持ポスト１２に弾性的に支持され、長手方向他端側（前端側）が一対の第２ダンパ３０ｂによりシャーシマウント２４の支持ポスト２５に支持されている。これにより、シャーシ２８は、４つのダンパ３０ａ、３０ｂによって弾性的に支持されている。
【００３３】
ディスク駆動部２２は、一対の第１ダンパ３０ａを支点として、図９（ａ）に示す上昇位置（駆動位置）と図９（ｂ）に示す下降位置（退避位置）との間をシャーシマウント２４と共に回動可能に、つまり、昇降可能に支持されている。シャーシ２８は、駆動位置において、ディスクトレイ２０とほぼ平行に位置し、退避位置において、第２ダンパ３０ｂ側の端部がディスクトレイ２０から下方に離間して位置する。
【００３４】
図２、図３、図５、図８、図１０、および図１４に示すように、ディスクトレイ２０およびディスク駆動部２２を移動させる移動機構５０は、メインフレーム１１の前壁部１１ｄに設けられディスクトレイ２０の下方に位置している。移動機構５０は、前壁部１１ｄのモータ取り付け部１３ｃに取り付けられた駆動源としてのローディングモータ５１、ローディングモータの回転軸に圧入されたプーリー５２、前壁部のプーリーギア支点ボス１３ｂに回転自在に取り付けられたプーリーギア５４、プーリー５２とプーリーギア５４に掛け渡された駆動ベルト５３、前壁部のギア支点ボス１３ａに回転自在に取り付けられプーリーギア５４と歯合した駆動ギア５６、およびカムスライダ５８を備えている。
【００３５】
駆動ギア５６の一方の表面上には、ディスクトレイ２０のラック２３と歯合するトレイギア５６ａが同軸的に形成され、他方の表面上には、カムスライダ５８のラックと歯合するカムギア５６ｂが同軸的に形成されている。ローディングモータ５１の回転軸、プーリー５２、プーリーギア５４、駆動ギア５６のそれぞれの回転軸は、ディスクトレイ２０の表面と直交する方向に延びている。
【００３６】
摺動部材として機能するカムスライダ５８は、ディスクトレイ２０の移動方向Ａと直行する方向Ｂに延びた細長い板状のカム板５８ａと、カム板から前方へ延出したガイド板５８ｂとを有し、合成樹脂等により一体に成形されている。カムスライダ５８は、カム板５８ａの下端部が前壁部１１ｄのスライド溝１３ｄ（図５参照）に係合した状態でメインフレーム１１に支持され、ディスクトレイ２０の移動方向Ａと直行する方向Ｂに沿って摺動可能に支持されている。カム板５８ａは、シャーシマウント２４の連結部２４ｃと対向して位置している。
【００３７】
図１０、図１４、図１５に示すように、ガイド板５８ｂの一端部には、カムギア５６ｂと歯合可能なラック６０が形成されている。そして、カムスライダ５８は、カムギア５６ｂにより駆動され、ディスクトレイ２０の移動に連動して移動方向Ｂに往復移動される。カム板５８ａには、一対のカム溝６４、６５が形成されている。一対のカム溝６４、６５は互いに平行に形成されている。
【００３８】
各カム溝６４、６５は、移動方向Ｂに沿って水平に延びた第１溝部６４ａ、６５ａと、第１溝部から斜めに上方に向かって延びた傾斜溝部６４ｂ、６５ｂと、傾斜溝部の上端から移動方向Ｂに沿って水平に延びた第２溝部６４ｃ、６５ｃと、を有している。一方のカム溝６４の内、第２溝部６４ｃおよび傾斜溝部６４ｂの第２カム溝端部は、カム板５８ａを貫通し、カム板の両面に開口している。カム溝６４の他の部分およびカム溝６５は、カム板５８ａにより前面側が覆われ、底有の溝として形成されている。
【００３９】
カム板５８ａの一対のカム溝６４、６５には、シャーシマウント２４の連結部２４ｃに突設された一対の係合ピン２６がそれぞれ摺動自在に係合している。そして、カムスライダ５８の移動に伴い、係合ピン２６がカム溝６４、６５内を移動し、その結果、シャーシマウント２４が昇降される。
【００４０】
移動機構５０のローディングモータ５１が駆動されると、プーリー５２から駆動ベルト５３を介してプーリーギア５４、駆動ギア５６へと動力が伝達され、カムスライダ５８が移動方向Ｂに移動される。カムスライダ５８の移動に伴ない、カム溝６４、６５に沿ってシャーシマウント２４の係合ピン２６が移動する。そして、シャーシマウント２４は、カムスライダ５８の移動に連動して、枢軸２３ａ、２３ｂを支点に回動し、昇降動作を行なう。これにより、ディスク駆動部２２は第１ダンパ３０ａを支点に回動し、シャーシマウント２４と共に昇降動作を行なう。
【００４１】
ディスクトレイ２０はトレイギア５６ａによって駆動され移動方向Ａに沿って移動される。ディスクトレイ２０が移動する間、ディスク駆動部２２はディスクトレイの移動を妨げないように、下降位置（退避位置）に移動される。
【００４２】
光ディスク装置の待機状態あるいは動作状態において、図９（ａ）、図１６、図１７に示すように、カムスライダ５８は第１位置に位置し、シャーシマウント２４の係合ピン２６はカム溝６４、６５の第２溝部６４ｃ、６５ｃ内に位置している。これにより、シャーシマウント２４は上昇位置に保持され、ディスク駆動部２２は駆動位置（上昇位置）に移動されている。
【００４３】
光ディスク装置に対して光ディスク８を装填あるいは取出しする場合、メインフレーム１１の前面に設けられた図示しないイジェクトボタンを押下すると、あるいは、光ディスク取出しの外部命令により、ローディングモータ５１が駆動され、カムスライダ５８が図１６に示す第１位置から図１０、図１４、図１９に示す第２位置に向かってＢ方向に移動される。カムスライダ５８の移動に連動して、シャーシマウント２４の係合ピン２６がカム溝６４、６５内を第２カム溝６４ｃ、６５ｃから第１溝部６４ａ、６５ａまで移動する。これにより、シャーシマウント２４は上昇位置から図９、図１４、図１９、図２０に示す下降位置に移動し、これに伴い、ディスク駆動部２２が駆動位置から退避位置に下降される。
【００４４】
ディスク駆動部２２が退避位置に移動した後、ローディングモータ５１によりディスクトレイ２０が図１に示す実線で示す動作位置から図９（ｂ）および図１に２点鎖線で示す装填取出し位置に移動され、メインフレーム１１から外方に延出する。この状態で、ディスクトレイ２０に対して光ディスク８の装填あるいは取出しが可能となる。
【００４５】
ディスクトレイ２０に対して光ディスク８を装填した後、図示しないローディングスイッチが押されると、あるいは、光ディスク装填の外部命令が入力されると、ローディングモータ５１が反転駆動され、ディスクトレイ２０が移動機構５０により装填取出し位置から動作位置に移動される。これにより、光ディスク８はディスクトレイ２０と共にメインフレーム１１内に引き込まれ、所定位置に保持される。
【００４６】
ディスクトレイ２０が動作位置に移動した状態で、カムスライダ５８が第２位置から第１位置に向かって移動される。カムスライダ５８の移動に連動して、シャーシマウント２４の係合ピン２６がカム溝６４、６５内を第１カム溝６４ａ、６５ａから傾斜溝部６４ｂ、６５ｂを通って第２溝部６４ｃ、６５ｃまで移動する。これにより、シャーシマウント２４は下降位置から図１６、図１７に示す上昇位置に移動し、これに伴い、ディスク駆動部２２が退避位置から駆動位置に上昇し、駆動位置に保持される。
【００４７】
これにより、ディスクトレイ２０に載置されていた光ディスク８は、ディスク駆動部２２のターンテーブル３３と、図示しないトップカバーの内面に設けられたディスククランプ部材とによって挟まれ、回転自在に保持される。また、光ピックアップ３６は光ディスク８の記録面と対向して位置する。この状態で、スピンドルモータ３２によってターンテーブル３３および光ディスク８を所定の速度で回転し、光ピックアップ３６により光ディスク８に対して情報の書き込みあるいは読み出しを行う。
【００４８】
一方、上述したシャーシマウント２４の昇降動作の間、連結部２４ｃに形成されたガイドボス２７はメインフレーム１１に形成されたガイド溝１８内を移動し、また、押圧突起３０は、メインフレームのガイドリブ１７に設けられたガイド面１７ｂと対向して移動する。
【００４９】
前述したように、ガイド溝１８は、その下端から上端に向かって徐々に幅が狭くなるように形成されている。また、ガイドボス２７の幅は、円滑な摺動動作を確保するため、ガイド溝１８の上端部の幅に対しわずかに、例えば、０．０５ｍｍ〜０．１ｍｍ程度、小さく形成されている。そのため、ガイドボス２７は、シャーシマウント２４が下降位置と上昇位置直前との間を移動する間、ガイド溝１８内を隙間を持って移動し、シャーシマウント２４の摺動負荷を最小限に抑えている。そして、シャーシマウント２４が上昇位置に移動した際、ガイドボス２７はガイド溝１８を規定している第１および第２ガイドリブ１６、１７の側面１６ａ、１７ａで形成される幅に対して前述の隙間をもって規制される。
【００５０】
また、押圧突起３０は、シャーシマウント２４が下降位置と上昇位置直前との間を移動する間、ガイド面１７ｂと隙間を持って移動し、シャーシマウント２４の摺動負荷を最小限に抑えている。そして、図１８に示すように、シャーシマウント２４が上昇位置に移動した際、押圧突起３０は、その当接部３１がガイド面１７ｂの突出部１７ｃに当接し、所定量、例えば、０．５ｍｍ程度、撓み、その撓みにより弾性力を発生する。これにより、押圧突起３０は、メインフレーム１１の第２ガイドリブ１７を弾性的に押圧し、第２ガイドリブを押圧突起３０とガイドボス２７との間に挟み込む。従って、シャーシマウント２４のガイドボス２７は、ガイド溝１８を規定してい第２ガイドリブの側壁１７ａに弾性力で押し付けられ固定される。これにより、上昇位置に移動したシャーシマウント２４およびディスク駆動部２２は、ガタツキが抑制され、偏芯または偏重心ディスクの駆動や外部衝撃による振動の抑制、および騒音の発生が抑制される。
【００５１】
図２２および図２３に示すように、例えば、光ディスク装置が落下し、衝撃方向Ｃの衝撃を受けた場合、シャーシマウント２４のガイドボス２７をメインフレーム１１の第１および第２のガイドリブ１６、１７で受ける形で落下衝撃力に受け止める。そのため、落下衝撃時、押圧突起３０には大きな落下衝撃力が加わらず、押圧突起３０が損傷することはない。従って、押圧突起３０は、本来の機能である振動抑制するための弾性力を発生させる理想的な形状に形成することが可能となる。
【００５２】
以上のように構成された光ディスク装置によれば、シャーシマウントにガイドリブおよび押圧突起を一体的に形成し、メインフレームにガイドリブと係合するガイド溝および押圧突起に当接して弾性力を発生させるガイド面を設けることにより、シャーシマウントおよびディスク駆動部をガタつき無く保持することが可能となり、一般的に大なり小なり偏芯または偏重心を有するディスクの回転等によるシャーシマウントの振動及び騒音を抑制することができる。また、シャーシマウントを付勢する板バネ（付勢部材）など別部材を設ける必要が無く、部品点数の増大を抑制し、製造コストの低減、装置の小型化を図ることができる。下降位置から上昇位置直前までの区間において、シャーシマウントの摺動負荷を最小減に抑えられ、シャーシマウントの円滑な移動が確保される。更に、押圧突起には衝撃が作用し難いため、押圧突起は、振動抑制に必要な弾性力のみを有していればよく、押圧部材の小型化ができるとともに、押圧部材の弾性力によるシャーシマウントの動作負荷も低減でき、小電力省スペースの装置を供給することができる。
【００５３】
なお、本発明は実施形態そのままに限定されるものではなく、実施段階ではその要旨を逸脱しない範囲で構成要素を変形して具体化できる。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５４】
例えば、各構成部材の形成材料、形状等は、上述した実施形態に限定されることなく、必要に応じて変更可能である。上述した実施形態において、ガイドボスおよび押圧突起をシャーシマウントに一体に形成し、ガイド溝およびガイドリブをメインフレーム１１の前壁部に形成する構成としたが、これに限定されることはない。
【００５５】
図２４、図２５、図２６に示すように、この発明の他の実施形態に係る光ディスク装置によれば、シャーシマウントの振動を抑制するガイドボス２７および押圧突起３０は、メインフレーム１１の前壁部１１ｄの内面にフレームと一体に突設されている。また、ガイドボス２７と係合するガイド溝１８および押圧突起３０と係合するガイド面１７ｂを有したガイドリブ１７は、シャーシマウント２４の連結部２４ｃ側に形成されている。
【００５６】
他の実施形態において、他の構成は前述した実施形態と同一であり、同一の部分には同一の参照符号を付してその詳細な説明を省略する。そして、他の実施形態においても、前述した実施形態と同様の作用効果を得ることができる。
【図面の簡単な説明】
【００５７】
【図１】図１は、この発明の実施形態に係る光ディスク装置をそのトップカバーを取り外して示す斜視図。
【図２】図２は、ディスクトレイを取り外した状態における前記光ディスク装置の内部構造を示す斜視図。
【図３】図３は、ディスク駆動部を取外した状態における前記光ディスク装置を示す斜視図。
【図４】図４は、シャーシマウントとメインフレームとの係合部分を拡大して示す斜視図。
【図５】図５は、メインフレームを示す斜視図。
【図６】図６は、上記メインフレームに形成されたガイド溝、ガイド面の部分を拡大して示す斜視図。
【図７】図７は、前記ガイド溝およびガイド面を示す正面図。
【図８】図８は、前記光ディスク装置のディスクトレイの裏面側およびシャーシマウントを示す斜視図。
【図９】図９は、ディスクトレイが動作位置に引き込まれた状態およびディスクトレイが装填取出し位置に引き出された状態をそれぞれ示す上記光ディスク装置の断面図。
【図１０】図１０は、ディスク駆動部、移動機構、シャーシマウントを示す分解斜視図。
【図１１】図１１は、前記光ディスク装置のシャーシマウントを示す斜視図。
【図１２】図１２は、前記シャーシマウントのガイドボスおよび押圧突起の部分を拡大して示す斜視図。
【図１３】図１３は、前記シャーシマウントのガイドボスおよび押圧突起の部分を拡大して示す正面図。
【図１４】図１４は、前記光ディスク装置のシャーシマウントおよびカムスライダを示す斜視図。
【図１５】図１５は、前記カムスライダを示す正面図。
【図１６】図１６は、第１位置および上昇位置におけるカムスライダおよびシャーシマウントを示す斜視図。
【図１７】図１７は、第１位置および上昇位置におけるカムスライダおよびシャーシマウントを示す断面図。
【図１８】図１８は、上昇位置におけるガイドボスおよび押圧突起とガイド溝およびガイド面との係合状態を示す正面図。
【図１９】図１９は、第２位置および下降位置におけるカムスライダおよびシャーシマウントを示す斜視図。
【図２０】図２０は、第２位置および下降位置におけるカムスライダおよびシャーシマウントを示す断面図。
【図２１】図２１は、下降位置におけるガイドボスおよび押圧突起とガイド溝およびガイド面との係合状態を示す正面図。
【図２２】図２２は、落下衝撃を受ける状態の光ディスク装置を示す側面図。
【図２３】図２３は、図２２におけるシャーシマウントとメインフレームとの係合部分を拡大して示す側面図。
【図２４】図２４は、この発明の他の実施形態に係る光ディスク装置のシャーシマウントとメインフレームとの係合部分を拡大して示す斜視図。
【図２５】図２５は、シャーシマウントに形成されたガイド溝およびガイド面の部分を拡大して示す斜視図。
【図２６】図２６は、メインフレームの一部を拡大して示す斜視図。
【符号の説明】
【００５８】
８…光ディスク、１１…メインフレーム、１１ａ、１１ｂ…側壁、１１ｄ…前壁部、
１６…第１ガイドリブ、１７…第２ガイドリブ、１６ａ、１７ａ…側面、
１７ｂ…ガイド面、１７ｃ…突出部、１８…ガイド溝、２０…ディスクトレイ、
２２…ディスク駆動部、２４…シャーシマウント、２４ａ、２４ｂ…アーム部、
２４ｃ…連結部、２６…係合ピン、２７…ガイドボス、２７ａ…ガイド部、
２７ｂ…補強部、３０…押圧突起、３０ａ…当接部、３２…スピンドルモータ、
３６…光ピックアップ、５０…移動機構、５１…ローディングモータ、
５８…カムスライダ、６４、６５…カム溝
【図１】
2009087391.tif 000003
【図２】
2009087391.tif 000004
【図３】
2009087391.tif 000005
【図４】
2009087391.tif 000006
【図５】
2009087391.tif 000007
【図６】
2009087391.tif 000008
【図７】
2009087391.tif 000009
【図８】
2009087391.tif 000010
【図９】
2009087391.tif 000011
【図１０】
2009087391.tif 000012
【図１１】
2009087391.tif 000013
【図１２】
2009087391.tif 000014
【図１３】
2009087391.tif 000015
【図１４】
2009087391.tif 000016
【図１５】
2009087391.tif 000017
【図１６】
2009087391.tif 000018
【図１７】
2009087391.tif 000019
【図１８】
2009087391.tif 000020
【図１９】
2009087391.tif 000021
【図２０】
2009087391.tif 000022
【図２１】
2009087391.tif 000023
【図２２】
2009087391.tif 000024
【図２３】
2009087391.tif 000025
【図２４】
2009087391.tif 000026
【図２５】
2009087391.tif 000027
【図２６】
2009087391.tif 000028